(57)【要約】【課題】図柄変動を安定的に開始させることが可能な遊技機を提供する。【解決手段】第１領域から特定流入口を経て第２領域に流入した遊技球をステージ３５上で転動させて第１領域側に排出可能に構成した遊技機で、遊技球が第１始動手段３６に入球することに基づいて第１図柄を変動表示する第１図柄表示手段と、遊技球が第２始動手段３７に入球することに基づいて第２図柄を変動表示する第２図柄表示手段と、第１図柄表示手段と第２図柄表示手段との何れかの変動後の停止図柄が特定態様となった場合に利益状態を発生させる利益状態発生手段と、始動口案内通路６３に流入した遊技球を第１始動手段３６側と第２始動手段３７側とに振り分ける始動口振り分け手段３８と、特定流入口から第２領域に流入した遊技球を第１領域側と始動口案内通路６３側とに振り分けるステージ振り分け手段３９とを備えたものである。【選択図】図１６
2016077741.tif 000002
【特許請求の範囲】
【請求項１】
遊技領域が第１領域と第２領域とに区分けされ、
前記第１領域の遊技球は特定流入口から前記第２領域に流入可能であり、
前記特定流入口から前記第２領域に流入した遊技球をステージ上で転動させて前記第１領域側に排出可能に構成した
遊技機において、
遊技球が第１始動手段に入球することに基づいて第１図柄を変動表示する第１図柄表示手段と、
遊技球が第２始動手段に入球することに基づいて第２図柄を変動表示する第２図柄表示手段と、
前記第１図柄表示手段と前記第２図柄表示手段との何れかの変動後の停止図柄が特定態様となった場合に利益状態を発生させる利益状態発生手段と、
始動口案内通路に流入した遊技球を前記第１始動手段側と前記第２始動手段側とに振り分ける始動口振り分け手段と、
前記特定流入口から前記第２領域に流入した遊技球を前記第１領域側と前記始動口案内通路側とに振り分けるステージ振り分け手段とを備えた
ことを特徴とする遊技機。
【請求項２】
前記始動口振り分け手段は、遊技球を前記第１始動手段側と前記第２始動手段側とに交互に案内するように構成した
ことを特徴とする請求項１に記載の遊技機。
【請求項３】
前記始動口振り分け手段による振り分けが行われたにも拘わらず前記第１始動手段と前記第２始動手段との何れにも入球しなかった遊技球を前記第１領域側に排出する排出通路を備えた
ことを特徴とする請求項１又は２に記載の遊技機。
【請求項４】
前記始動口振り分け手段を前記ステージの後側に配置し、
前記排出通路を前記ステージの下側に配置した
ことを特徴とする請求項３に記載の遊技機。
【請求項５】
前記ステージ振り分け手段は、振り分け部材と駆動手段とを備え、
前記振り分け部材は、前記駆動手段の駆動により、遊技球を前記第１領域側に案内する第１案内状態と、遊技球を前記始動口案内通路側に案内する第２案内状態とに変化可能である
ことを特徴とする請求項１〜４の何れかに記載の遊技機。
【請求項６】
前記第１領域内の遊技球を所定確率で前記特定流入口に案内する特定振り分け装置を備えた
ことを特徴とする請求項１〜５の何れかに記載の遊技機。
【請求項７】
前記特定振り分け装置は、直列に連結された複数の振り分け手段を備え、
前記振り分け手段は、遊技球を複数の排出口に等確率で振り分け可能であり、
最下流側の前記振り分け手段における前記複数の排出口の何れかを前記特定流入口に連通させた
ことを特徴とする請求項６に記載の遊技機。
【請求項８】
前記振り分け手段は、遊技球を前記複数の排出口に１個ずつ所定順序で案内するように構成した
ことを特徴とする請求項６又は７に記載の遊技機。
【発明の詳細な説明】
【技術分野】
【０００１】
本発明は、パチンコ機、アレンジボール機等の遊技機に関するものである。
【背景技術】
【０００２】
例えばパチンコ機の多くは、遊技領域の略中央に、液晶表示手段等の画像表示手段の表示枠としての中央ユニットが配置されている。この中央ユニット内の領域（第２領域）は、遊技領域におけるその他の領域（第１領域）と区分けされており、発射手段により発射されて第１領域内に入った遊技球は、例えば中央ユニットの側部に設けられた特定流入口から前記第２領域に流入可能となっている。また中央ユニットにはステージが設けられており、特定流入口から第２領域に流入した遊技球は、ステージ上で自由に転動した後、第１領域側に排出されるようになっている。
【０００３】
またこの種の遊技機では、中央ユニットの下側の第１領域内に図柄始動手段が設けられ、ステージ上を転動した遊技球が例えば左右方向中央の落下部から第１領域に落下した場合には高い確率で図柄始動手段に入賞するように構成されているものが多い（特許文献１参照）。
【先行技術文献】
【特許文献】
【０００４】
【特許文献１】特開２０１４−６１０６６号公報
【発明の概要】
【発明が解決しようとする課題】
【０００５】
以上のような従来の遊技機では、遊技球が特定流入口を介してステージ側に流入すれば、例えばある程度高い確率で図柄を始動させることができるが、ステージ側への遊技球の流入が安定しないため、例えば図柄変動にムラが生じやすい等の問題があった。
【０００６】
本発明は上記事情に鑑みてなされたものであり、図柄変動を安定的に開始させることが可能な遊技機を提供することを目的とする。
【課題を解決するための手段】
【０００７】
本発明は、遊技領域７が第１領域３３ａと第２領域３３ｂとに区分けされ、前記第１領域３３ａの遊技球は特定流入口５３から前記第２領域３３ｂに流入可能であり、前記特定流入口５３から前記第２領域３３ｂに流入した遊技球をステージ３５上で転動させて前記第１領域３３ａ側に排出可能に構成した遊技機において、遊技球が第１始動手段３６に入球することに基づいて第１図柄を変動表示する第１図柄表示手段１９と、遊技球が第２始動手段３７に入球することに基づいて第２図柄を変動表示する第２図柄表示手段２０と、前記第１図柄表示手段１９と前記第２図柄表示手段２０との何れかの変動後の停止図柄が特定態様となった場合に利益状態を発生させる利益状態発生手段１０６と、始動口案内通路６３に流入した遊技球を前記第１始動手段３６側と前記第２始動手段３７側とに振り分ける始動口振り分け手段３８と、前記特定流入口５３から前記第２領域３３ｂに流入した遊技球を前記第１領域３３ａ側と前記始動口案内通路６３側とに振り分けるステージ振り分け手段３９とを備えたものである。
【０００８】
また、前記始動口振り分け手段３８は、遊技球を前記第１始動手段３６側と前記第２始動手段３７側とに交互に案内するように構成してもよい。また、前記始動口振り分け手段３８による振り分けが行われたにも拘わらず前記第１始動手段３６と前記第２始動手段３７との何れにも入球しなかった遊技球を前記第１領域３３ａ側に排出する排出通路７４，７６を備えた構成としてもよい。この場合、前記始動口振り分け手段３８を前記ステージ３５の後側に配置し、前記排出通路７４，７６を前記ステージ３５の下側に配置してもよい。
【０００９】
また、前記ステージ振り分け手段３９は、振り分け部材６６と駆動手段６７とを備え、前記振り分け部材６６は、前記駆動手段６７の駆動により、遊技球を前記第１領域３３ａ側に案内する第１案内状態と、遊技球を前記始動口案内通路６３側に案内する第２案内状態とに変化可能に構成してもよい。
【００１０】
また、前記第１領域３３ａ内の遊技球を所定確率で前記特定流入口５３に案内する特定振り分け装置４０を設けてもよい。この場合、前記特定振り分け装置４０は、直列に連結された複数の振り分け手段４６ａ〜４６ｃを備え、前記振り分け手段４６ａ〜４６ｃは、遊技球を複数の排出口４８ａ〜４８ｃ，４９ａ〜４９ｃに等確率で振り分け可能であり、最下流側の前記振り分け手段４６ｃにおける前記複数の排出口４８ｃ，４９ｃの何れかを前記特定流入口５３に連通させてもよい。前記振り分け手段４６ａ〜４６ｃは、遊技球を前記複数の排出口４８ａ〜４８ｃ，４９ａ〜４９ｃに１個ずつ所定順序で案内するように構成してもよい。
【発明の効果】
【００１１】
本発明によれば、図柄変動を安定的に開始させることが可能である。
【図面の簡単な説明】
【００１２】
【図１】本発明の第１の実施形態を示すパチンコ機における全体斜視図である。
【図２】同パチンコ機における遊技盤の正面図である。
【図３】同パチンコ機における中央ユニットの正面断面図である。
【図４】同パチンコ機における中央ユニットの側面断面図である。
【図５】同パチンコ機における中央ユニットの側面断面図である。
【図６】同パチンコ機における中央ユニットの側面断面図である。
【図７】同パチンコ機における特定振り分け装置を構成する振り分け手段の分解斜視図である。
【図８】同パチンコ機における特定振り分け装置を構成する振り分け手段の振り分け動作の説明図である。
【図９】同パチンコ機における特定振り分け装置を構成する振り分け手段の平面断面図である。
【図１０】同パチンコ機における中央ユニットの平面断面図である。
【図１１】同パチンコ機における中央ユニットの斜視図である。
【図１２】同パチンコ機における中央ユニットの側面断面図である。
【図１３】同パチンコ機におけるステージ振り分け手段の分解斜視図である。
【図１４】同パチンコ機におけるステージ振り分け手段の正面図である。
【図１５】同パチンコ機における中央ユニットの正面断面図である。
【図１６】同パチンコ機における中央ユニットの正面断面図である。
【図１７】同パチンコ機における中央ユニットの側面断面図である。
【図１８】同パチンコ機における制御系のブロック図である。
【図１９】同パチンコ機における特定振り分けエラー判定処理のフローチャートである。
【図２０】本発明の第２の実施形態を示すパチンコ機における特定振り分けエラー判定処理のフローチャートである。
【図２１】本発明の第３の実施形態を示すパチンコ機における特定振り分けエラー判定処理のフローチャートである。
【図２２】本発明の第４の実施形態を示すパチンコ機における中央ユニットの正面断面図である。
【図２３】本発明の第５の実施形態を示すパチンコ機における中央ユニットの斜視図である。
【発明を実施するための形態】
【００１３】
以下、本発明の実施形態を図面に基づいて詳述する。図１〜図１９は本発明をパチンコ機に採用した第１の実施形態を例示している。図１において、遊技機本体１は、矩形状の外枠２と、この外枠２に対して開閉及び着脱自在に枢着された内枠３とを備えている。
【００１４】
内枠３には、その上部側に遊技盤４（図２）等が、下部側に発射手段（図示省略）等が夫々配置されており、その内枠３の前側には、遊技盤４の前側を覆うガラス扉５と、そのガラス扉５の下側で発射手段等の前側を覆う下部開閉扉６とが開閉及び着脱自在に枢着されている。ガラス扉５には、遊技盤４の前面側に設けられた遊技領域７に対応するガラス窓５ａが設けられている。また下部開閉扉６には、払い出し手段（図示省略）から払い出された遊技球を貯留して発射手段に供給する上皿８ａと、その上皿８ａが満杯のときに余剰球を貯留する下皿８ｂとが上下に配置され、更にその下皿８ｂの右側に、発射手段を作動させるための発射ハンドル９が設けられている。また、上皿８ａ等を前側から覆う上皿カバー上には、第１演出ボタン１０ａ、第２演出ボタン１０ｂ等の各種操作手段が配置されている。なお、ガラス扉５と下部開閉扉６とを一つの扉体として構成してもよい。
【００１５】
遊技盤４には、図２に示すように、発射手段から発射された遊技球を案内するガイドレール１１が環状に装着され、そのガイドレール１１の内側の遊技領域７内に、中央ユニット１２、始動入賞ユニット１３、大入賞ユニット１４、普通入賞ユニット１５等の複数のユニット部品と、多数の遊技釘（図示省略）とが配置されており、それら複数のユニット部品１２〜１５上に、画像表示手段１６、普通図柄表示手段１７、普通保留個数表示手段１８、第１特別図柄表示手段（図柄表示手段）１９、第２特別図柄表示手段（図柄表示手段）２０等の各種表示手段の他、普通図柄始動手段２１、第１特別図柄始動手段（第１領域始動手段，図柄始動手段）２２、第２特別図柄始動手段２３、大入賞手段２４、複数（ここでは３つ）の普通入賞手段２５〜２７等が配置されている。
【００１６】
画像表示手段１６は、例えば液晶表示ユニットにより構成されており、演出図柄表示手段２８、第１特別保留個数表示手段２９ａ、第２特別保留個数表示手段２９ｂ、エラー報知手段３０（図１８参照）等を構成している。
【００１７】
中央ユニット１２は、画像表示手段１６の表示枠を構成するもので、例えば遊技領域７の略中央から上部に跨がる領域に配置されており、遊技盤４に形成される装着孔４ａに対して前側から装着される前装着枠３１と、この前装着枠３１の後側に対応して遊技盤４の裏側に装着される後装着体（図示省略）とで構成され、画像表示手段１６は後装着体に固定されている。
【００１８】
前装着枠３１は、図２，図３等に示すように、例えば装着孔４ａの外側で遊技盤４の前面側に当接し且つ固定ねじ等により遊技盤４に固定される前面板３２と、画像表示手段１６等が配置される第２領域３３ｂを略取り囲む囲繞壁３４と、第２領域３３ｂの下部側に配置されるステージ３５とを備えている。そしてこの前装着枠３１には、第２領域３３ｂの下部側に配置される第１振分始動手段（第１始動手段，第２領域始動手段，図柄始動手段）３６及び第２振分始動手段（第２始動手段，第２領域始動手段，図柄始動手段）３７と、遊技球を第１振分始動手段３６と第２振分始動手段３７とに振り分ける始動口振り分け手段３８と、第２領域３３ｂに流入した遊技球をステージ３５側と前記始動口振り分け手段３８側とに振り分けるステージ振り分け手段３９と、囲繞壁３４の外側に配置され且つ遊技球を所定確率で第２領域３３ｂ側に案内する特定振り分け装置４０とが設けられている。
【００１９】
前面板３２は薄板状で、その前側を遊技球が通過可能に構成されている。囲繞壁３４は、遊技領域７を第２領域３３ｂとその外側の第１領域３３ａとに区分けするもので、前面板３２の前側に一体に突設されている。第１領域３３ａは、第２領域３３ｂの外周を取り囲むように配置されており、発射手段により発射されて第１領域３３ａの上部側に流入した遊技球は、囲繞壁３４の上部側で左右に振り分けられ、左流下領域４１ａと右流下領域４１ｂとの何れかを流下するようになっている。なお本実施形態では、図２に示すように右流下領域４１ｂ側には入賞手段等は配置されていないため、遊技者は常に左流下領域４１ａ側を狙って遊技球を発射する必要がある。
【００２０】
左流下領域４１ａの上下方向略中央には、特定振り分け装置４０と分岐通路４２とが並列に配置されている。分岐通路４２は特定振り分け装置４０を迂回するバイパス通路で、図３に示すように、特定振り分け装置４０へ遊技球を案内する振り分け案内通路４３から例えば左側に分岐しており、ガイドレール１１に沿って略上下方向に配置される縦通路部４２ａと、縦通路部４２ａの下流側から特定振り分け装置４０の下側を経て遊技領域７の中央側に向けて緩やかな傾斜状に配置される横通路部４２ｂとを備えている。
【００２１】
また、特定振り分け装置４０及び分岐通路４２の上流側には、左流下領域４１ａに流入した遊技球を一列状に流下させるための集球部４４が設けられており、その集球部４４の下流端側が振り分け案内通路４３の上端側に連通している。振り分け案内通路４３は、遊技球１個分の通路断面を有し、図３，図４に示すように略上下方向に配置されており、下端側が特定振り分け装置４０に連通している。また振り分け案内通路４３には、例えば分岐通路４２への分岐部よりも上流側に、遊技球を検出可能な第１検出手段４５が設けられている。即ち、左流下領域（特定流下領域）４１ａを流下する遊技球は全てこの第１検出手段４５によって検出される。また、振り分け案内通路４３を流下する遊技球は、その多くが真っ直ぐ特定振り分け装置４０側に流入し、横方向の分岐通路４２側に流入する確率は低い。なお、第１検出手段４５は第１流入口４７ａに設けてもよい。
【００２２】
特定振り分け装置４０は、図３〜図６に示すように、直列に連結された複数、例えば３つの第１〜第３振り分け手段４６ａ〜４６ｃを備えている。第１〜第３振り分け手段４６ａ〜４６ｃは、夫々１つの第１〜第３流入口４７ａ〜４７ｃと、左右一対の第１〜第３左排出口４８ａ〜４８ｃ及び第１〜第３右排出口４９ａ〜４９ｃと、第１〜第３流入口４７ａ〜４７ｃに流入した遊技球を第１〜第３左排出口４８ａ〜４８ｃと第１〜第３右排出口４９ａ〜４９ｃとに振り分ける第１〜第３振り分け部材５０ａ〜５０ｃとを備えている。
【００２３】
第１振り分け手段４６ａは、その第１流入口４７ａが振り分け案内通路４３の下端側に連通している。また、第１左排出口４８ａと第１右排出口４９ａとの一方側、ここでは第１右排出口４９ａが下流側の第２振り分け手段４６ｂの第２流入口４７ｂに連通し、他方側の第１左排出口４８ａは分岐通路４２の縦通路部４２ａに合流している。
【００２４】
第２振り分け手段４６ｂは、第２左排出口４８ｂと第２右排出口４９ｂとの一方側、ここでは第２左排出口４８ｂが下流側の第３振り分け手段４６ｃの第３流入口４７ｃに連通し、他方側の第２右排出口（普通排出口）４９ｂは、遊技球を第１領域３３ａの下流側に案内する普通案内通路５１に連通している。この普通案内通路５１は、第３振り分け手段４６ｃの右側に略上下方向に配置され、例えば分岐通路４２の横通路部４２ｂの下側で前面板３２に形成された排出口５２に連通している。なお、普通案内通路５１の下端部近傍には、図３及び図５に示すように横通路部４２ｂの後側を迂回するための略コの字状の迂回部５１ａが設けられている。
【００２５】
第３振り分け手段４６ｃは、第３左排出口４８ｃと第３右排出口４９ｃとの一方側、ここでは第３右排出口（特定排出口）４９ｃが、第２領域３３ｂに連通する特定流入口５３に連通し、他方側の第３左排出口４８ｃは分岐通路４２の横通路部４２ｂに合流している。また、例えば特定流入口５３の近傍には、特定流入口５３に流入する遊技球を検出可能な第２検出手段５４が設けられている。
【００２６】
以上のように、第１〜第３振り分け手段４６ａ〜４６ｃは、上流側から２番目の第２振り分け手段４６ｂを第１振り分け手段４６ａにおける右側の第１右排出口４９ａに連通させ、第３振り分け手段４６ｃを第２振り分け手段４６ｂにおける左側の第２左排出口４８ｂに連通させている。即ち、上流側からｎ＋１番目（但しｎは１以上）の振り分け手段をｎ番目の振り分け手段における左右一方側の排出口に連通させ、上流側からｎ＋２番目の振り分け手段をｎ＋１番目の振り分け手段における左右他方側の排出口に連通させているため、特定振り分け装置４０の小型化が可能となり、限られたスペースを有効に利用できる。
【００２７】
第１〜第３振り分け部材５０ａ〜５０ｃは、第１〜第３流入口４７ａ〜４７ｃの下側に配置され、図７〜図９等に示すように前後方向の揺動軸５５廻りに右傾斜状態と左傾斜状態との間で揺動可能な状態で例えば前面板３２の前側に保持されており、遊技球を各１個保持可能な左右一対の保持部５６ａ，５６ｂを備えている。第１〜第３振り分け部材５０ａ〜５０ｃは、図８（ａ）に示す右傾斜状態では、左保持部５６ａが第１〜第３流入口４７ａ〜４７ｃからの遊技球を１個受け入れ可能であり、この左保持部５６ａに遊技球が１個保持されると、その遊技球の重量によって左に揺動して図８（ｂ）に示す左傾斜状態に変化し、左保持部５６ａに保持されていた遊技球は第１〜第３左排出口４８ａ〜４８ｃに流下する。同様に、左傾斜状態では、右保持部５６ｂが第１〜第３流入口４７ａ〜４７ｃからの遊技球を１個受け入れ可能であり、この右保持部５６ｂに遊技球が１個保持されると、その遊技球の重量によって右に揺動して右傾斜状態に変化し、右保持部５６ｂに保持されていた遊技球は第１〜第３右排出口４９ａ〜４９ｃに流下する。
【００２８】
また第１〜第３振り分け部材５０ａ〜５０ｃは、中立阻止手段５７により、中立状態を避けて右傾斜状態と左傾斜状態との何れかに付勢されるようになっている。中立阻止手段５７は、図７〜図９に示すように、第１〜第３振り分け部材５０ａ〜５０ｃ側に設けられた第１磁石５７ａと前面板３２側に設けられた第２磁石５７ｂとで構成されており、第１〜第３振り分け部材５０ａ〜５０ｃが右傾斜状態と左傾斜状態との中間の中立状態のときに、互いのＮ極（又はＳ極）が前後に対向するように配置されている。これにより、第１磁石５７ａと第２磁石５７ｂとは互いに反発し、第１〜第３振り分け部材５０ａ〜５０ｃは、中立状態を避けて右傾斜状態と左傾斜状態との何れかに付勢される。なお、第１磁石５７ａと第２磁石５７ｂとの間の反発力は、保持部５６ａ，５６ｂに保持された遊技球の重量による第１〜第３振り分け部材５０ａ〜５０ｃの回転力よりは小さくなるように設定されている。
【００２９】
第１〜第３振り分け手段４６ａ〜４６ｃは、以上のような構成により、第１〜第３流入口４７ａ〜４７ｃに流入した遊技球を、第１〜第３左排出口４８ａ〜４８ｃと第１〜第３右排出口４９ａ〜４９ｃに１個ずつ交互に案内するようになっている。これにより、特定振り分け装置４０に流入する遊技球は、８個毎に１個の割合で特定流入口５３に案内される。また、特定流入口５３側に案内されなかった８個中７個の遊技球のうち、第１振り分け手段４６ａ又は第３振り分け手段４６ｃで排除された遊技球については分岐通路４２に合流して流下するが、第２振り分け手段４６ｂで排除された遊技球は分岐通路４２を経由せず、図５に太線矢印で示すように横通路部４２ｂの下側の排出口５２から落下するようになっている。
【００３０】
なお、例えば振り分け案内通路４３、特定振り分け装置４０及び分岐通路４２の前側には樹脂製の前カバー５８が装着されており、遊技者はその前カバー５８の少なくとも一部に設けられた透明部、開口部等を介して内部の遊技球の動きを視認可能となっている。なお、前カバー５８は設けなくてもよい。
【００３１】
特定振り分け装置４０により特定流入口５３側に案内された遊技球は、図６，図１０に太線矢印で示すように特定案内通路６１を経て第２領域３３ｂ内のステージ振り分け手段３９に案内される。特定案内通路６１は、特定流入口５３の遊技球を、前面板３２の後側まで後向きに案内した後、普通案内通路５１の迂回部５１ａの後側を右向きに通過し、蛇行部６１ａを経て遊技領域７の左右方向略中央まで案内するように配置されている。また特定案内通路６１の下流側端部近傍には、図１０，図１１等に示すように、遊技球を前向きに案内する前案内部６２が形成されている。前案内部６２は、特定案内通路６１で最も低い位置に設けられており、特定案内通路６１を流下する遊技球は最終的にこの前案内部６２に集約されて前側に案内されるようになっている。
【００３２】
また特定案内通路６１の前側には、図１０〜図１２等に示すように、遊技球を始動口振り分け手段３８側に案内する始動口案内通路６３と、遊技球をステージ３５側に案内するステージ案内通路６４とが配置されている。始動口案内通路６３は、前案内部６２の前側に遊技球１個分以上の距離を隔てて左右方向に配置され、例えば右下がりの緩やかな傾斜状に形成されており、その下流端側に、例えば始動口振り分け手段３８に向けて遊技球を下向きに案内する振り分け流入口３８ａが形成されている。なお、始動口案内通路６３は、図１２に示すように少なくとも前案内部６２の前側に対応する部分が前案内部６２よりも若干低い位置となるように配置されている。
【００３３】
ステージ案内通路６４は、特定案内通路６１とその前側の始動口案内通路６３との間に配置され、遊技球を始動口案内通路６３の下側のステージ３５側に向けて前向きに案内する前案内部６４ａと、遊技球を前案内部６４ａに向けて例えば左向きに案内する横案内部６４ｂとを備えている。
【００３４】
ステージ３５は、第２領域３３ｂ側に流入した遊技球を自由に転動させて第１領域３３ａ側に排出するためのもので、図３，図１１等に示すように、前面板３２のうち、左右方向略中央の下部側に設けられる下部前面板３２ａに沿ってその後側に左右方向の細長状に配置されており、例えばその左端部に対応してその後側にステージ案内通路６４の前案内部６４ａが配置されている。ステージ３５は、例えば正面視略Ｗ字状の緩やかなウェーブ状に形成されており、例えば左右方向中央とその左右両側に、遊技球を前側に案内する中央落下部６５ａ及び側部落下部６５ｂ，６５ｂが設けられている。ステージ案内通路６４からステージ３５の左端部に流入した遊技球は、左右方向に転動した後、中央落下部６５ａ又は側部落下部６５ｂ，６５ｂから下部前面板３２ａの前側に落下する。
【００３５】
ステージ振り分け手段３９は、図１１〜図１４等に示すように、特定案内通路６１により案内されてきた遊技球をステージ案内通路６４側（第１領域３３ａ側）に案内するステージ案内状態（第１案内状態）と始動口案内通路６３側に案内する始動口案内状態（第２案内状態）とに変化可能な可動通路部材（振り分け部材）６６と、可動通路部材６６を駆動するモータ（駆動手段）６７と、可動通路部材６６を例えば始動口案内状態側に付勢するバネ部材６８と、可動通路部材６６の位置を検出可能な可動通路位置検出手段６９とを備え、ステージ振り分けベース部材７０を介して前装着枠３１の後側に着脱自在に固定されている。
【００３６】
可動通路部材６６は、遊技球を前向きに案内する前後方向の樋状に形成された通路部６６ａと、モータ６７からの駆動力を受ける被駆動部６６ｂと、可動通路位置検出手段６９により検出される被検出部６６ｃと、バネ部材６８の端部を保持するバネ支持部６６ｄとを例えば一体に備え、前案内部６２に対応して特定案内通路６１の下側に配置され、始動口案内状態（図１２に二点鎖線で示す）とステージ案内状態（図１２に実線で示す）との間で前後方向に往復移動可能に支持されている。ここで、可動通路部材６６が始動口案内状態のときには、通路部６６ａの前端部が特定案内通路６１の前側に突出して始動口案内通路６３の後側に当接又は近接し、特定案内通路６１側の遊技球は図１６に太線矢印で示すように通路部６６ａを介して始動口案内通路６３側に案内される。また、可動通路部材６６がステージ案内状態のときには、通路部６６ａが特定案内通路６１の下側に退避し、特定案内通路６１側の遊技球は図１２，図１５に太線矢印で示すようにステージ案内通路６４上に落下する。
【００３７】
なお、特定案内通路６１の前縁側には、その下側のステージ案内通路６４の後縁側との間に略垂直な壁板７１が例えば一体に設けられており、可動通路部材６６は始動口案内状態のときにはこの壁板７１に設けられた開口部７１ａを介してその前端側を前側に突出させ、ステージ案内状態のときには可動通路部材６６の前端面が壁板７１と略面一となるように構成されている。
【００３８】
バネ部材６８は例えば引張コイルバネで、前後方向に配置され、後端側が可動通路部材６６のバネ支持部６６ｄに、前端側が前装着枠３１側のバネ支持部７２に夫々支持されており、可動通路部材６６を前向き、即ち始動口案内状態側に付勢している。なお、バネ支持部７２は、図１４（ｂ）に示すように例えば後述する始動口振り分けベース体８５に一体に設けられている。
【００３９】
モータ６７は、例えば可動通路部材６６の側方（ここでは左側）で特定案内通路６１の下側に配置され、その駆動軸６７ａを可動通路部材６６側に向けた状態で横向きに支持されている。モータ６７の駆動軸６７ａには、可動通路部材６６側の被駆動部６６ｂの前側に対応してカム部材７３が固定されている。カム部材７３は、駆動軸６７ａを中心とする円盤部７３ａと、この円盤部７３ａの外周に沿って周方向の一部分に設けられ且つ可動通路部材６６側の被駆動部６６ｂの前側に対応して軸方向に突出する駆動部７３ｂとを一体に備えている。そして、モータ６７が作動してカム部材７３の駆動部７３ｂが後側にきたとき、その駆動部７３ｂがバネ部材６８の付勢力に抗して可動通路部材６６側の被駆動部６６ｂを後向きに押すことにより、可動通路部材６６が始動口案内状態からステージ案内状態に移行するようになっている。
【００４０】
可動通路位置検出手段６９は、例えば互いに対向する投光部と受光部とを備えた略コの字型の透過型フォトセンサで、例えば可動通路部材６６がステージ案内状態のときに被検出部６６ｃを検出してＯＮとなり、また可動通路部材６６が始動口案内状態のときにはＯＦＦとなるように前装着枠３１側に固定されている。なお、モータ６７はこの可動通路位置検出手段６９の検出信号に基づいて制御される。
【００４１】
始動口案内通路６３の下流端側の振り分け流入口３８ａは、図１０，図１５，図１６等に示すように、例えば遊技領域７の左右方向中央でステージ３５の後側に配置されており、その下方に、始動口振り分け手段３８と左右一対の第１，第２振分始動手段３６，３７とが配置されている。
【００４２】
第１，第２振分始動手段（図柄始動手段）３６，３７は、図１６等に示すように、遊技領域７の左右方向中央に対してその左右に、遊技球１個分以上の隙間を挟んで配置され、夫々遊技球が下向きに入賞可能に構成されると共に遊技球検出手段３６ａ，３７ａを備えている。第１，第２振分始動手段３６，３７は、夫々第１，第２特別図柄表示手段１９，２０による第１，第２特別図柄の変動表示を開始させるためのもので、それらに入賞した遊技球は、夫々遊技球検出手段３６ａ，３７ａで検出された後、図１７に示すように遊技盤４の後側に案内される。
【００４３】
第１振分始動手段３６と第２振分始動手段３７との間には、図１１，図１５，図１６等に示すように遊技球を前側に案内する中央排出通路（排出通路）７４が配置されている。また、第１振分始動手段３６の左側及び第２振分始動手段３７の右側にも、遊技球を前側に案内する一対の側部排出通路（排出通路）７６，７６が配置されている。また下部前面板３２ａには、中央排出通路７４及び側部排出通路７６，７６に対応して中央落下口７７及び側部落下口７８，７８が設けられており、中央排出通路７４，側部排出通路７６，７６により前向きに案内された遊技球は、ステージ３５の下側を通過して夫々中央落下口７７，側部落下口７８，７８から第１領域３３ａに落下する。なお、中央落下口７７は、ステージ３５の中央落下部６５ａに対応してその下側に配置されている。
【００４４】
始動口振り分け手段３８は、特定振り分け装置４０の第１〜第３振り分け手段４６ａ〜４６ｃと基本的構成は同じであり、図１６，図１７等に示すように、振り分け流入口３８ａと、左右一対の左排出口８１及び右排出口８２と、振り分け流入口３８ａに流入した遊技球を左排出口８１と右排出口８２とに振り分ける振り分け部材８３とを備え、左排出口８１が第１振分始動手段３６に、右排出口８２が第２振分始動手段３７に、夫々遊技球１個分以上の隙間を挟んで上下に対向している。
【００４５】
振り分け部材８３は、振り分け流入口３８ａの下側に配置され、前後方向の揺動軸８４廻りに右傾斜状態と左傾斜状態との間で揺動可能な状態で例えば始動口振り分けベース体８５を介して前装着枠３１の後側に支持されており、遊技球を各１個保持可能な左右一対の保持部８５ａ，８５ｂを備えている。振り分け部材８３は、右傾斜状態では、左保持部８５ａが振り分け流入口３８ａからの遊技球を１個受け入れ可能であり、この左保持部８５ａに遊技球が１個保持されると、その遊技球の重量によって左に揺動して左傾斜状態に変化し、左保持部８５ａに保持されていた遊技球は左排出口８１に流下する。同様に、左傾斜状態では、右保持部８５ｂが振り分け流入口３８ａからの遊技球を１個受け入れ可能であり、この右保持部８５ｂに遊技球が１個保持されると、その遊技球の重量によって右に揺動して右傾斜状態に変化し、右保持部８５ｂに保持されていた遊技球は右排出口８２に流下する。
【００４６】
また、振り分け部材８３は、中立阻止手段８６により、中立状態を避けて右傾斜状態と左傾斜状態との何れかに付勢されるようになっている。中立阻止手段８６は、振り分け部材８３側に設けられた第１磁石８６ａと始動口振り分けベース体８５側に設けられた第２磁石８６ｂとで構成されており、振り分け部材８３が右傾斜状態と左傾斜状態との中間の中立状態のときに、互いのＮ極（又はＳ極）が前後に対向するように配置されている。これにより、第１磁石８６ａと第２磁石８６ｂとは互いに反発し、振り分け部材８３は、中立状態を避けて右傾斜状態と左傾斜状態との何れかに付勢される。なお、第１磁石８６ａと第２磁石８６ｂとの間の反発力は、左右の保持部８５ａ，８５ｂに保持された遊技球の重量による振り分け部材８３の回転力よりは小さくなるように設定されている。
【００４７】
以上のような始動口振り分け手段３８により、振り分け流入口３８ａに流入した遊技球は、左排出口８１と右排出口８２とに１個ずつ交互に案内される。左排出口８１側に案内された遊技球はその下側の第１振分始動手段３６に、右排出口８２側に案内された遊技球はその下側の第２振分始動手段３７に、夫々高い確率で入賞し、遊技盤４の後側に案内される。一方、始動口振り分け手段３８を通過したにも拘わらず第１，第２振分始動手段３６，３７の何れにも入賞できなかった遊技球は、中央排出通路７４，側部排出通路７６，７６の何れかを経て中央落下口７７，側部落下口７８，７８の何れかから第１領域３３ａに落下する。
【００４８】
普通図柄表示手段１７は、例えば「○」「×」の２種類の普通図柄に対応する２個の発光体（例えばＬＥＤ）により構成され、図２に示すように例えば前装着枠３１の前側に配置されており、通過ゲート等よりなる普通図柄始動手段２１が遊技球を検出することを条件にそれら２つの発光体が所定時間交互に点滅して、普通図柄始動手段２１による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００４９】
なお、普通図柄始動手段２１による遊技球検出時に取得された当たり判定乱数値等の普通乱数情報は、予め定められた上限保留個数、例えば４個を限度として記憶され、普通図柄表示手段１７による図柄変動が開始される毎に順次消化される。普通乱数情報の記憶個数（以下、普通保留個数）は、例えば前装着枠３１の前側に配置される普通保留個数表示手段１８によって遊技者に報知される。
【００５０】
第１特別図柄表示手段（第１図柄表示手段）１９は、後述する特別利益状態の発生に関する抽選結果に基づいて第１特別図柄（第１図柄）を変動表示するもので、例えばＬＥＤによる７セグメント式の表示手段により構成され、例えば前装着枠３１の前側に配置されている。この第１特別図柄表示手段１９は、上述した第１振分始動手段３６と後述する第１特別図柄始動手段２２との何れかに遊技球が入賞することを条件に第１特別図柄を所定時間変動表示して、それら始動手段３６，２２への入賞時に取得された特別乱数情報に含まれる大当たり判定乱数値が予め定められた大当たり判定値と一致する場合には所定の大当たり態様で、それ以外の場合には外れ態様でそれぞれ停止するようになっている。
【００５１】
なお、第１振分始動手段３６，第１特別図柄始動手段２２への入賞時に取得された特別乱数情報は、予め定められた上限保留個数、例えば各４個を限度として記憶され、第１特別図柄表示手段１９による図柄変動が開始される毎に順次消化される。第１特別図柄に関する特別乱数情報の記憶個数（以下、第１特別保留個数）は、第１特別保留個数表示手段２９ａによって遊技者に報知される。
【００５２】
第２特別図柄表示手段（第２図柄表示手段）２０は、特別利益状態の発生に関する抽選結果に基づいて第２特別図柄（第２図柄）を変動表示するもので、例えばＬＥＤによる７セグメント式の表示手段により構成され、例えば前装着枠３１の前側に配置されている。この第２特別図柄表示手段２０は、上述した第２振分始動手段３７と後述する第２特別図柄始動手段２３との何れかに遊技球が入賞することを条件に第２特別図柄を所定時間変動表示して、それら始動手段３７，２３への入賞時に取得された特別乱数情報に含まれる大当たり判定乱数値が予め定められた大当たり判定値と一致する場合には所定の大当たり態様で、それ以外の場合には外れ態様でそれぞれ停止するようになっている。
【００５３】
なお、第２振分始動手段３７，第２特別図柄始動手段２３への入賞時に取得された特別乱数情報は、予め定められた上限保留個数、例えば各４個を限度として記憶され、第２特別図柄表示手段２０による図柄変動が開始される毎に順次消化される。第２特別図柄に関する特別乱数情報の記憶個数（以下、第２特別保留個数）は、第２特別保留個数表示手段２９ｂによって遊技者に報知される。
【００５４】
始動入賞ユニット１３は、図２に示すように例えば中央ユニット１２の下側に配置されており、第１特別図柄始動手段２２と第２特別図柄始動手段２３とが設けられている。第１特別図柄始動手段２２は、上述したように中央ユニット１２の第１振分始動手段３６と共に第１特別図柄表示手段１９による図柄変動を開始させるためのもので、開閉手段等を有しない非開閉式入賞手段により構成されている。この第１特別図柄始動手段２２は、例えば中央ユニット１２の中央落下部６５ａ及び中央落下口７７の下側に上向き開口状に配置されている。
【００５５】
第２特別図柄始動手段２３は、上述したように中央ユニット１２の第２振分始動手段３７と共に第２特別図柄表示手段２０による図柄変動を開始させるためのもので、開閉手段２３ａにより遊技球が入賞可能な開状態と入賞不可能（又は開状態よりも入賞困難）な閉状態とに切り換え可能な開閉式入賞手段により構成されている。この第２特別図柄始動手段２３は、例えば第１特別図柄始動手段２２の下側に配置されており、普通図柄表示手段１７による普通図柄の変動後の停止図柄が当たり態様となった場合に、開閉手段２３ａが所定の開閉パターンに従って閉状態から開状態に変化する（普通利益状態）ように構成されている。
【００５６】
大入賞ユニット１４は、図２に示すように例えば始動入賞ユニット１３の下側に配置されており、大入賞手段２４、普通図柄始動手段２１、普通入賞手段２５等が設けられている。大入賞手段２４は、遊技球が入賞可能な開状態と入賞不可能な閉状態とに切り換え可能な開閉手段２４ａを備えた開閉式入賞手段で、例えば第２特別図柄始動手段２３の下側に配置されている。この大入賞手段２４は、第１，第２特別図柄表示手段（図柄表示手段）１９，２０の何れかが大当たり態様（特定態様）で停止した場合に、所定の開放パターンに従って開状態に変化する（特別利益状態）ようになっている。
【００５７】
普通図柄始動手段２１と普通入賞手段２５とは例えば大入賞手段２４の左右に略対称に配置されている。普通図柄始動手段２１は、上述したように普通図柄表示手段１７による図柄変動を開始させるためのもので、遊技球が通過可能な通過ゲート等により構成されている。
【００５８】
また普通入賞ユニット１５は、図２に示すように大入賞ユニット１４の左側にガイドレール１１に沿って設けられており、複数の普通入賞手段２６，２７が配置されている。
【００５９】
図１８は本パチンコ機の制御系のブロック図である。図１８において、９１は主制御基板、９２は演出制御基板で、これら各制御基板９１，９２は、遊技盤４に装着されたユニット部品１２〜１５等を裏側から一括して覆う裏カバーの裏側等、内枠３及び遊技盤４を含む遊技機本体１の裏側の適宜箇所に着脱自在に装着された基板ケースに夫々収納されている。
【００６０】
主制御基板９１は、遊技動作を統括的に制御するもので、ＣＰＵ，ＲＯＭ，ＲＡＭ等により構成される普通図柄処理手段１０１、普通図柄表示制御手段１０２、普通利益状態発生手段１０３、特別図柄処理手段１０４、特別図柄表示制御手段１０５、特別利益状態発生手段１０６、特別遊技状態発生手段１０７、ステージ振り分け制御手段１０８、エラー管理手段１０９、制御コマンド送信手段１１０等を備えている。
【００６１】
普通図柄処理手段１０１は、普通図柄の変動表示に関する処理を行うもので、遊技球が普通図柄始動手段２１を通過することに基づいて、当たり判定乱数値等の普通乱数情報を取得すると共にその普通乱数情報を予め定められた上限保留個数（例えば４個）を限度として先入れ先出し式の普通乱数記憶手段１０１ａに記憶させ、また普通図柄表示手段１７が変動表示可能な状態となり且つ普通乱数記憶手段１０１ａに１以上の普通乱数情報が記憶されていること（普通保留個数が１以上であること）を条件に、普通乱数記憶手段１０１ａから待ち行列の先頭の普通乱数情報を取り出し、その普通乱数情報に含まれる当たり判定乱数値が予め定められた当たり判定値と一致するか否かに応じて当たり／外れの判定を行い、また普通図柄の変動後の停止図柄及び変動時間を選択するように構成されている。
【００６２】
なお本実施形態では、当たり判定に用いる当たり判定値の数を後述する開放延長状態中とそれ以外とで異ならせることにより、開放延長状態中の当たり確率（例えば１／１．３）がそれ以外の場合の当たり確率（例えば１／１０）よりも高く設定され、また開放延長状態中における変動時間（例えば２．７秒）がそれ以外の場合における変動時間（例えば２７秒）よりも短くなるように設定されている。
【００６３】
普通図柄表示制御手段１０２は、普通図柄処理手段１０１による普通図柄処理に基づいて普通図柄表示手段１７の表示制御を行うもので、普通図柄表示手段１７が変動表示可能な状態となり且つ普通乱数記憶手段１０１ａに１以上の普通乱数情報が記憶されていること（普通保留個数が１以上であること）を条件に普通図柄表示手段１７による普通図柄の変動を開始させ、普通図柄処理手段１０１で選択された変動時間が経過することに基づいて、同じく普通図柄処理手段１０１で選択された停止図柄で普通図柄の変動を停止させるようになっている。
【００６４】
普通利益状態発生手段１０３は、遊技者に有利となる普通利益状態を発生させるもので、普通図柄処理手段１０１によって当たりの判定結果が得られることに基づいて普通図柄表示手段１７の変動後の停止図柄が当たり態様となった場合に、第２特別図柄始動手段２３を複数種類の開閉パターンの何れかに従って開状態に変化させるようになっている。本実施形態では、普通利益状態における第２特別図柄始動手段２３の開閉パターンとして通常開閉パターン（例えば０．２秒×１回開放）と延長開閉パターン（例えば２秒×３回開放）の２種類が設定されており、開放延長状態中は延長開閉パターンが、それ以外は通常開閉パターンが選択されるようになっている。
【００６５】
特別図柄処理手段１０４は、第１，第２特別図柄の変動表示に関する処理を行うもので、遊技球が第１振分始動手段３６と第１特別図柄始動手段２２との何れかに入賞することに基づいて、大当たり判定乱数値等の特別乱数情報を取得すると共にその特別乱数情報を予め定められた上限保留個数（例えば４個）を限度として先入れ先出し式の第１特別乱数記憶手段１０４ａに記憶させ、また遊技球が第２振分始動手段３７と第２特別図柄始動手段２３との何れかに入賞することに基づいて、大当たり判定乱数値等の特別乱数情報を取得すると共にその特別乱数情報を予め定められた上限保留個数（例えば４個）を限度として先入れ先出し式の第２特別乱数記憶手段１０４ｂに記憶させる保留記憶機能を有している。
【００６６】
また、特別図柄処理手段１０４は、第１，第２特別図柄表示手段１９，２０が共に変動表示可能な状態となり且つ第２特別乱数記憶手段１０４ｂに１以上の特別乱数情報が記憶されていること（第２特別保留個数が１以上であること）を条件に、第２特別乱数記憶手段１０４ｂから待ち行列の先頭の特別乱数情報を取り出し、その特別乱数情報に含まれる大当たり判定乱数値が予め定められた大当たり判定値と一致するか否かに応じて大当たり／外れの判定を行い、また第１，第２特別図柄表示手段１９，２０が共に変動表示可能な状態となり且つ第１，第２特別乱数記憶手段１０４ａ，１０４ｂのうちの第１特別乱数記憶手段１０４ａにのみ１以上の特別乱数情報が記憶されていること（第１，第２特別保留個数のうちの第１特別保留個数のみが１以上であること）を条件に、第１特別乱数記憶手段１０４ａから待ち行列の先頭の特別乱数情報を取り出し、その特別乱数情報に含まれる大当たり判定乱数値が予め定められた大当たり判定値と一致するか否かに応じて大当たり／外れの判定を行う大当たり判定機能を有している。
【００６７】
即ち本実施形態では、第１特別図柄表示手段１９と第２特別図柄表示手段２０とが同時に変動することはなく、また第１，第２特別図柄表示手段１９，２０が共に変動可能な状態となった場合には第２特別図柄表示手段２０の変動が優先される。
【００６８】
また特別図柄処理手段１０４は、大当たり／外れの判定結果に基づいて第１，第２特別図柄の変動後の停止図柄態様の種類を選択する特別停止図柄選択機能、大当たり／外れの判定結果と新たに取得された変動パターン乱数値とに基づいて演出図柄の変動パターンを選択する変動パターン選択機能等を備えている。
【００６９】
特別図柄表示制御手段１０５は、第１，第２特別図柄表示手段１９，２０の表示制御を行うもので、特別図柄処理手段１０４による特別図柄処理に基づいて、第１，第２特別図柄表示手段１９，２０による第１，第２特別図柄の変動を開始させると共に、特別図柄処理手段１０４によって選択された演出図柄の変動パターンに対応する変動時間が経過することに基づいて、同じく特別図柄処理手段１０４によって選択された停止図柄態様で第１，第２特別図柄の変動を停止させるようになっている。
【００７０】
特別利益状態発生手段（利益状態発生手段）１０６は、遊技者に有利となる特別利益状態（利益状態）を発生させるもので、特別図柄処理手段１０４によって大当たりと判定されることに基づいて第１，第２特別図柄表示手段（図柄表示手段）１９，２０の何れかの変動後の停止図柄が大当たり態様（特定態様）となった場合に、所定の開放パターンに従って大入賞手段２４の開閉手段２４ａを開閉するようになっている。
【００７１】
なお、特別利益状態における大入賞手段２４の開放パターンは複数種類設けられており、例えば第１特別図柄が大当たり態様となった場合よりも第２特別図柄が大当たり態様となった場合の方が、その後の特別利益状態によって遊技者が得られる利益の期待値が大きくなるように設定されている。
【００７２】
特別遊技状態発生手段１０７は、特別利益状態の終了後に遊技者に有利な特別遊技状態を発生させるもので、例えば第１，第２特別乱数記憶手段１０４ａ，１０４ｂに記憶された大当たり判定乱数値が大当たり判定値と一致した場合に、その大当たり判定値と共に取得された大当たり図柄乱数値に応じて、例えば高確率状態と開放延長状態との組み合わせよりなる特別遊技状態、例えば高確率状態が発生せず開放延長状態が発生する「時短状態」、高確率状態と開放延長状態とが共に発生する「高確状態」、高確率状態が発生し開放延長状態が発生しない「潜確状態」の３種類の特別遊技状態の何れかを発生させるように構成されている。
【００７３】
高確率状態中は、それ以外の低確率状態中よりも大当たり判定値の数が例えば１個から１０個へ増加することにより、第１，第２特別図柄が大当たり態様となる確率を低確率（例えば１／３５０）よりも高い高確率（例えば１／３５）に設定するようになっている。
【００７４】
また開放延長状態中は、第２特別図柄始動手段２３の開閉パターンが通常開閉パターン（例えば０．２秒×１回開放）から延長開閉パターン（例えば２秒×３回開放）へ切り換えられる他、第１，第２特別図柄に関して、第１，第２特別図柄表示手段１９，２０の変動時間が夫々通常変動時間よりも短い短縮変動時間に切り換えられ、普通図柄に関して、当たり確率が通常確率（例えば１／１０）から高確率（例えば１／１．３）へ、変動時間が通常変動時間（例えば２７秒）から短縮変動時間（例えば２．７秒）へそれぞれ切り換えられるようになっている。
【００７５】
なお、特別遊技状態（時短状態、高確状態又は潜確状態）は、特別利益状態が終了した時点で開始され、例えば時短状態については、次の特別利益状態が開始するか、それまでに第１，第２特別図柄が所定回数（例えば５０回）変動した時点で終了し、高確状態及び潜確状態については、例えば次の特別利益状態が開始した時点で終了する。
【００７６】
ステージ振り分け制御手段１０８は、ステージ振り分け手段３９の動作制御を行うもので、例えば可動通路部材６６を所定の動作パターンに従って始動口案内状態とステージ案内状態とに変化させるべくモータ６７の駆動制御を行うようになっている。このステージ振り分け制御手段１０８では、始動口案内状態とステージ案内状態との時間比が振分率となるため、両状態の時間比が異なる複数種類の動作パターンを設け、例えば遊技状態に応じて動作パターンを切り替えるようにしてもよい。
【００７７】
エラー管理手段１０９は、各種エラーに関する処理を行うもので、例えばエラー判定手段１０９ａ、エラー発生時処理手段１０９ｂ、エラー解除判定手段１０９ｃ、エラー解除処理手段１０９ｄ等を備えている。
【００７８】
エラー判定手段１０９ａは、各種エラーの判定を行うもので、磁気センサ、電波センサ、扉開放検出手段、遊技球検出手段等の各種センサからの検出信号に基づいて、磁気検出エラー、電波検出エラー、扉開放エラー、入賞スイッチエラー、不正入賞エラー、振り分けエラー等の各種エラーの発生を判定するように構成されている。
【００７９】
以下、エラー判定手段１０９ａによる各種エラー判定のうち、特定振り分け装置４０に関する特定振り分けエラーの判定処理について説明する。本実施形態では、例えば４ｍｓ毎の定期割込において、特定振り分け装置４０の上流側に配置された第１検出手段４５と、特定振り分け装置４０により特定流入口５３側に案内された遊技球を検出可能な第２検出手段５４との検出信号に基づく特定振り分けエラー判定処理（図１９）を実行するようになっている。
【００８０】
特定振り分けエラー判定処理（図１９）では、まず第２検出手段５４が遊技球を検出したか否かを判定し（Ｓ１）、第２検出手段５４が遊技球を検出したことを条件に（Ｓ１：Ｙｅｓ）、第２カウンタの値に１を加算する（Ｓ２）。また、第１検出手段４５が遊技球を検出したか否かを判定し（Ｓ３）、第１検出手段４５が遊技球を検出していない場合には（Ｓ３：Ｎｏ）、ここで特定振り分けエラー判定処理を終了する。
【００８１】
Ｓ３で第１検出手段４５が遊技球を検出したと判定された場合には（Ｓ３：Ｙｅｓ）、第１カウンタの値に１を加算する（Ｓ４）と共に、その加算後の第１カウンタの値が予め定められた所定値Ｍ（例えばＭ＝２５６）に達したか否かを判定する（Ｓ５）。そして、第１カウンタの値が所定値Ｍに達していない場合（Ｓ５：Ｎｏ）にはここで特定振り分けエラー判定処理を終了する。
【００８２】
Ｓ５で第１カウンタの値が所定値Ｍに達したと判定された場合には（Ｓ５：Ｙｅｓ）、第１カウンタ及び第２カウンタの値がクリアされて（Ｓ７）特定振り分けエラー判定処理を終了するが、その前に、第２カウンタの値が第１範囲、即ちＮ１以上Ｎ２以下の範囲にあるか否かを判定し（Ｓ６）、第２カウンタの値がその第１範囲を外れている場合にエラーと判定する（Ｓ８）。ここで、第１範囲は、例えばＮ１＝２９，Ｎ２＝３５のように、所定値Ｍ（例えば２５６）に、特定振り分け装置４０による特定流入口５３への振分率（所定確率）（ここでは１／８）を掛けて得られる値（例えば３２）を含むように設定される。
【００８３】
以上のように、本実施形態の特定振り分けエラー判定処理（図１９）では、第１検出手段４５による遊技球の検出数が所定値Ｍとなったときの第２検出手段５４による遊技球の検出数が第１範囲を外れている場合にエラーと判定するようになっている。
【００８４】
なお、Ｓ８でエラーと判定された場合には、エラー発生時処理手段１０９ｂにより所定のエラー処理、例えば演出制御基板９２に対するエラーコマンドの送信、外部出力端子からのエラー信号の出力、エラー履歴の保存等が行われる。
【００８５】
また、エラー発生時処理手段１０９ｂによりエラー処理が実行された場合には、エラー解除判定手段１０９ｃが、所定のエラー解除条件が成立したか否かの判定を、例えばエラー解除条件が成立するまで繰り返し行う。エラー解除条件はエラーの種類に応じて予め設定されており、特定振り分けエラーであれば、例えばエラー発生後、遊技ホール担当者により所定のエラー解除操作が行われた場合にエラー解除条件が成立したものと判定するようになっている。
【００８６】
エラー解除判定手段１０９ｃによりエラー解除条件が成立したと判定された場合には、エラー解除処理手段１０９ｄが、演出制御基板９２に対してエラーの種類に対応するエラー解除コマンドを送信する等のエラー解除処理を実行する。
【００８７】
制御コマンド送信手段１１０は、演出制御基板９２等のサブ制御基板に対して制御コマンドを送信するもので、例えば第１，第２特別図柄の変動に関しては、特別図柄処理手段１０４による特別図柄処理に基づいて、第１，第２振分始動手段３６，３７，第１，第２特別図柄始動手段２２，２３への遊技球入賞時に演出制御基板９２に対して第１，第２保留増加コマンドを送信し、また第１，第２特別図柄の変動開始時に、第１，第２保留減算コマンド、変動パターン指定コマンド、停止図柄コマンドを演出制御基板９２に送信すると共に、第１，第２特別図柄の変動停止時に変動停止コマンドを演出制御基板９２に送信し、エラー管理手段１０９によるエラー管理処理に基づいて、演出制御基板９２に対してエラー発生時にエラーコマンドを、エラー解除時にエラー解除コマンドを夫々送信するようになっている。
【００８８】
演出制御基板９２は、演出図柄表示手段２８、第１，第２特別保留個数表示手段２９ａ，２９ｂ、エラー報知手段３０、スピーカ１１１、電飾手段１１２等の各種演出手段を制御するためのもので、特別保留個数表示制御手段１１３、演出図柄制御手段１１４、エラー報知制御手段１１５等を備えている。なお、スピーカ１１１は内枠３上の上部側及び下部側等に配置されており、ＬＥＤ等よりなる電飾手段１１２は遊技盤４の各種ユニット、ガラス扉５，下部開閉扉６等に多数配置されている。
【００８９】
特別保留個数表示制御手段１１３は、第１，第２特別保留個数表示手段２９ａ，２９ｂの表示制御を行うもので、第１振分始動手段３６と第１特別図柄始動手段２２との何れかに遊技球が入賞し、主制御基板９１から第１保留増加コマンドを受信したときに、その第１保留増加コマンドに基づいて、画像表示手段１６の所定位置に増加後の第１特別保留個数分の第１保留表示画像Ｘを表示し、同様に第２振分始動手段３７と第２特別図柄始動手段２３との何れかに遊技球が入賞し、主制御基板９１から第２保留増加コマンドを受信したときに、その第２保留増加コマンドに基づいて、画像表示手段１６の所定位置に増加後の第２特別保留個数分の第２保留表示画像Ｙを表示し、例えば主制御基板９１から第１，第２保留減算コマンドを受信することに基づいて、表示中の第１，第２保留表示画像Ｘ，Ｙの数を１個減少させて待ち行列の前側にシフトさせるように構成されている。
【００９０】
演出図柄制御手段１１４は、演出図柄表示手段２８による演出図柄の変動を制御するもので、例えば主制御基板９１から変動パターン指定コマンドを受信し且つその後所定時間以内に停止図柄コマンドを受信することに基づいて、演出図柄の停止図柄態様を選択する停止図柄抽選処理を実行した後、変動パターン指定コマンドで指定された変動パターンに基づいて、演出図柄表示手段２８による演出図柄の変動を開始させると共に、変動停止コマンドを受信したときに、停止図柄抽選処理で選択された停止図柄態様で演出図柄の変動を停止させ、またその演出図柄の変動表示に合わせてスピーカ１１１から所定の効果音を出力させ、また電飾手段１１２を所定のパターンで発光させるように構成されている。
【００９１】
エラー報知制御手段１１５は、エラー報知手段３０等によるエラー報知を制御するもので、例えば主制御基板９１からエラーコマンドを受信することに基づいて、エラー報知画像をエラー報知手段３０により表示させ、スピーカ１１１からエラー報知音を出力させ、電飾手段１１２の少なくとも一部のエラー報知ランプを点灯させるようになっている。またエラー報知制御手段１１５は、例えば主制御基板９１からエラー解除コマンドを受信することに基づいてエラー報知手段３０等によるエラー報知を終了するようになっている。
【００９２】
以上説明した本実施形態のパチンコ機では、右流下領域４１ｂ側に入賞手段等は配置されていないため、遊技者は常に左流下領域４１ａ側を狙って遊技球を発射する。左流下領域４１ａに打ち込まれた遊技球は、集球部４４を経て振り分け案内通路４３により下向きに案内され、ここで第１検出手段４５により検出される。そして、その遊技球はほとんどの場合そのまま下側の特定振り分け装置４０に流入するが、稀に分岐通路４２側に流入し、特定振り分け装置４０を避けてその下流側に流下する場合もある。
【００９３】
特定振り分け装置４０では、図３に示すように３つの第１〜第３振り分け手段４６ａ〜４６ｃが直列に連結されており、夫々流入してきた遊技球を１個ずつ交互に左右の排出口に振り分け、最下流側の第３振り分け手段４６ｃで第３右排出口（特定排出口）４９ｃ側に振り分けられた遊技球が、第２領域３３ｂに連通する特定流入口５３に案内される。従って、特定振り分け装置４０に流入した遊技球は、８個毎に１個必ず特定流入口５３に案内され、それ以外は分岐通路４２又は普通案内通路５１を経てそのまま第１領域３３ａを流下する。
【００９４】
特定振り分け装置４０により特定流入口５３側に案内された遊技球は、図１０に示すように特定案内通路６１を経てステージ振り分け手段３９に案内される。ステージ振り分け手段３９は、ステージ振り分け制御手段１０８の制御により、可動通路部材６６が例えば所定の動作パターンに従って前後に往復移動しており、それによって始動口案内状態とステージ案内状態とに交互に変化している。そして、特定案内通路６１を流下してきた遊技球がステージ振り分け手段３９に達したとき、ステージ振り分け手段３９が始動口案内状態であれば、その遊技球は図１６に示すように可動通路部材６６の通路部６６ａを経て始動口案内通路６３を流下し、始動口振り分け手段３８の振り分け流入口３８ａに流入するが、ステージ振り分け手段３９がステージ案内状態であれば、その遊技球は図１２，図１５に示すように特定案内通路６１の前案内部６２からステージ案内通路６４に落下し、ステージ３５に流入する。このように、特定振り分け装置４０により特定流入口５３側に案内された遊技球は、ステージ振り分け手段３９により、所定の振分率で始動口振り分け手段３８側とステージ３５側とに振り分けられる。
【００９５】
ステージ３５に流入した遊技球は、左右方向に転動した後、中央落下部６５ａと側部落下部６５ｂ，６５ｂとの何れかから第１領域３３ａ側に落下する。一方、始動口振り分け手段３８の振り分け流入口３８ａに流入した遊技球は、左排出口８１側と右排出口８２側とに１個ずつ交互に振り分けられる。そして、左排出口８１側に案内された遊技球はその下側の第１振分始動手段３６に、右排出口８２側に案内された遊技球はその下側の第２振分始動手段３７に、夫々高い確率で入賞し、遊技盤４の後側に案内される。なお、始動口振り分け手段３８に流入したにも拘わらず、第１，第２振分始動手段３６，３７の何れにも入賞できなかった遊技球は、中央排出通路７４，側部排出通路７６，７６の何れかを経て中央落下口７７，側部落下口７８，７８の何れかから第１領域３３ａ側に落下する。
【００９６】
以上のように、左流下領域４１ａに打ち込まれた遊技球は、特定振り分け装置４０、ステージ振り分け手段３９及び始動口振り分け手段３８によって略一定の頻度で第１振分始動手段３６又は第２振分始動手段３７に入賞するため、第１，第２特別図柄を大きなスランプなく安定的に変動させることができる。
【００９７】
なお本実施形態では、第１特別図柄よりも第２特別図柄で大当たりとなった方が遊技者に有利な仕様となっているが、以上のような構成により、遊技状態に拘わらず第１振分始動手段３６だけでなく第２振分始動手段３７にも略一定の頻度で入賞させることが可能である。
【００９８】
特定振り分け装置４０により特定流入口５３に案内されることなくそのまま左流下領域４１ａを流下した遊技球、或いは特定流入口５３に案内されたにも拘わらず第１，第２振分始動手段３６，３７に入賞することなく再び第１領域３３ａ側に流入した遊技球が、例えば普通図柄始動手段２１を通過すると、普通図柄表示手段１７による普通図柄の変動表示が行われ、その変動後の停止図柄が当たり態様であれば、普通利益状態が発生して第２特別図柄始動手段２３が所定時間開放する。しかしながら、開放延長状態中（高確状態中又は時短状態中）以外は第２特別図柄始動手段２３の開放時間は僅かであるため（例えば０．２秒×１回開放）、第２特別図柄始動手段２３への入賞はあまり期待できない。
【００９９】
一方、第１特別図柄始動手段２２は非開閉式入賞手段であり、また中央落下部６５ａ及び中央落下口７７の下側に設けられているため、遊技状態に拘わらず入賞が期待できる。遊技球が第１特別図柄始動手段２２に入賞すると、第１特別図柄表示手段１９による第１特別図柄の変動表示が行われ、その変動後の停止図柄が大当たり態様であれば、特別利益状態が発生して大入賞手段２４が所定の開放パターンに従って開放する。また、特別利益状態が終了すると、特別遊技状態（時短状態、高確状態又は潜確状態）が発生する。時短状態中又は高確状態中は、第２特別図柄始動手段２３の開放時間が延長され（例えば２秒×３回開放）、第２特別図柄始動手段２３への入賞が容易となるため、優先側の第２特別図柄表示手段２０の変動が優勢となり、遊技者にとって有利な状態が継続しやすくなる。
【０１００】
また、エラー判定手段１０９ａによる特定振り分けエラー判定処理（図１９）により、第１検出手段４５による遊技球の検出数が所定値Ｍ（例えば２５６）となったときの第２検出手段５４による遊技球の検出数が第１範囲（例えば２９以上３５以下）を外れている場合にはエラーと判定されるため、例えば磁石等を用いて第１〜第３振り分け部材５０ａ〜５０ｃの向きを強制的に切り替える等の不正行為により、特定振り分け装置４０による振り分け確率が大きく変化した場合には確実にエラーと判定することができる。
【０１０１】
図２０は本発明の第２の実施形態を例示し、第１の実施形態における特定振り分けエラー判定処理の内容を変更して、第２検出手段５４による検出があったときに、第１検出手段４５による検出回数をカウントする第１カウンタのカウント値をクリアするように構成すると共に、第１カウンタのクリア直前のカウント値に基づいてエラー判定を行うように構成した例を示している。なお、特定振り分けエラー判定処理以外の構成については第１の実施形態と同様である。
【０１０２】
本実施形態の特定振り分けエラー判定処理（図２０）では、まず第１検出手段４５が遊技球を検出したか否かを判定し（Ｓ１１）、第１検出手段４５が遊技球を検出したことを条件に（Ｓ１１：Ｙｅｓ）、第１カウンタの値に１を加算する（Ｓ１２）。また、第２検出手段５４が遊技球を検出したか否かを判定し（Ｓ１３）、第２検出手段５４が遊技球を検出していない場合には（Ｓ１３：Ｎｏ）、ここで特定振り分けエラー判定処理を終了する。
【０１０３】
Ｓ１３で第２検出手段５４が遊技球を検出したと判定された場合には（Ｓ１３：Ｙｅｓ）、第１カウンタの値をクリアして（Ｓ１５）特定振り分けエラー判定処理を終了するが、その前に、第１カウンタの値が所定判定値Ｎ３以下であるか否かを判定し（Ｓ１４）、第１カウンタの値が所定判定値Ｎ３以下である場合にエラーと判定する（Ｓ１６）。ここで、所定判定値Ｎ３は、少なくとも特定振り分け装置４０による特定流入口５３への振分率（所定確率）（ここでは１／８）の逆数よりも小（例えばＮ３＝６）となるように設定することが望ましい。
【０１０４】
以上のように、特定振り分けエラー判定処理において、第２検出手段５４による検出があったときに第１カウンタのカウント値をクリアするように構成し、第１カウンタのクリア直前のカウント値が所定判定値Ｎ３以下である場合にエラーと判定するように構成してもよい。
【０１０５】
図２１は本発明の第３の実施形態を例示し、第１，第２の実施形態における特定振り分けエラー判定処理の内容を変更して、第１検出手段４５による検出があったときに、第２検出手段５４による検出回数をカウントするための第２カウンタのカウント値をクリアするように構成すると共に、第２カウンタのカウント値に基づいてエラー判定を行うように構成した例を示している。なお、特定振り分けエラー判定処理以外の構成については第１，第２の実施形態と同様である。
【０１０６】
本実施形態の特定振り分けエラー判定処理（図２１）では、まず第２検出手段５４が遊技球を検出したか否かを判定し（Ｓ２１）、第２検出手段５４が遊技球を検出したことを条件に（Ｓ２１：Ｙｅｓ）、第２カウンタの値に１を加算する（Ｓ２２）。そして、その加算後の第２カウンタの値が２以上であるか否かを判定し（Ｓ２３）、２以上である場合にエラーと判定する（Ｓ２４）。なお、第２カウンタの値は、第１検出手段４５による検出があったときにクリアする（Ｓ２５，Ｓ２６）。
【０１０７】
以上のように、特定振り分けエラー判定処理において、第１検出手段４５による検出があったときに第２カウンタのカウント値をクリアするように構成し、第２カウンタのカウント値が２以上となった場合にエラーと判定するように構成してもよい。
【０１０８】
図２２は本発明の第４の実施形態を例示し、第１〜第３の実施形態に対し、特定振り分け装置４０及びその周辺の一部構成を変更した例を示している。なお、以下の説明では第１〜第３の実施形態と異なる構成を中心に説明する。
【０１０９】
本実施形態のパチンコ機は、図２２に示すように、第１領域３３ａを流下する遊技球が集球部４４，振り分け案内通路４３を経て全て特定振り分け装置４０に流入するように構成されており、第１の実施形態の分岐通路４２のような特定振り分け装置４０を迂回するバイパス通路は設けられていない。もちろん、第１〜第３の実施形態と同様に、特定振り分け装置４０を迂回する分岐通路４２を設けてもよい。
【０１１０】
また、本実施形態のパチンコ機における特定振り分け装置４０は、第１の実施形態と同様、３つの第１〜第３振り分け手段４６ａ〜４６ｃが直列に連結されており、それら第１〜第３振り分け手段４６ａ〜４６ｃの基本的構成は第１の実施形態と同様であるが、互いの連結態様が第１の実施形態とは異なっている。即ち、図２２に示すように、第２振り分け手段４６ｂの第２流入口４７ｂは第１振り分け手段４６ａにおける第１右排出口４９ａに連通し、第３振り分け手段４６ｃの第３流入口４７ｃは第２振り分け手段４６ｂにおける第２右排出口４９ｂに連通し、その第３振り分け手段４６ｃの第３右排出口４９ｃが特定流入口５３に連通している。
【０１１１】
特定流入口５３側に案内された遊技球は第２検出手段５４で検出された後、特定案内通路６１により第２領域３３ｂ側に流入する。また、第１〜第３振り分け手段４６ａ〜４６ｃの第１〜第３左排出口４８ａ〜４８ｃは全て特定振り分け装置４０の外側に排出されて第１領域３３ａの下流側に流下する。
【０１１２】
このように、上流側から２番目以降の全ての振り分け手段４６ｂ，４６ｃを、それらの上流側の振り分け手段４６ａ，４６ｂにおける左右同じ側（ここでは右側）の排出口４９ａ，４９ｂに連結してもよい。この場合、通路配置は単純化できる一方、デッドスペースが生じやすく限られたスペースの有効利用という面では不利となる場合もある。
【０１１３】
図２３は本発明の第５の実施形態を例示し、第１〜第４の実施形態におけるステージ振り分け手段の構成を変更した例を示している。なお、以下の説明で特に言及しない構成については第１〜第４の実施形態と同様である。
【０１１４】
本実施形態のステージ３５′は、特定流入口５３（図３，図２２等）から第２領域３３ｂに流入して特定案内通路６１により案内されてきた遊技球を転動させて、第１特別図柄始動手段２２（第１領域始動手段，図柄始動手段）の上側に対応する中央落下部６５ａと、その左右両側の側部落下部６５ｂ，６５ｂとの何れかから第１領域３３ａ側に落下させるように構成されており、特定案内通路６１により案内されてきた遊技球を中央落下部６５ａに向けて前向きに案内する中央縦案内部１２１と、この中央縦案内部１２１の左右両側に所定距離をおいて配置され且つ遊技球を前向きに案内する側部縦案内部１２２，１２２と、特定案内通路６１により案内されてきた遊技球を側部縦案内部１２２，１２２の上流端側に向けて左右方向に案内する一対の後部横案内部１２３，１２３と、下部前面板３２ａの後側に沿って配置され且つ側部縦案内部１２２，１２２により前向きに案内されてきた遊技球を左右方向内向き、即ち中央落下部６５ａ及び側部落下部６５ｂ側に案内する一対の前部横案内部１２４，１２４と、側部縦案内部１２２，１２２の中間部分と中央縦案内部１２１の中間部分とを接続するように後部横案内部１２３，１２３と前部横案内部１２４，１２４との間に配置され且つ遊技球を左右方向内向き、即ち中央縦案内部１２１側に案内する中間横案内部１２５，１２５とを備えている。
【０１１５】
また本実施形態のパチンコ機は、第１ステージ振り分け手段１２６と、第２ステージ振り分け手段１２７とを備えている。第１ステージ振り分け手段１２６は、特定案内通路６１により案内されてきた遊技球を中央縦案内部１２１側と後部横案内部１２３側とに振り分けるもので、第１振り分け部材１２８と、この第１振り分け部材１２８を駆動する第１駆動手段（図示省略）とを備えている。第１振り分け部材１２８は、特定案内通路６１の下流端側に配置されており、特定案内通路６１により案内されてきた遊技球受け入れ可能な上向き開口状の受入口１２８ａと、この受入口１２８ａに流入した遊技球を例えば略水平に流出させる排出口１２８ｂとを備え、第１駆動手段の駆動により例えば上下方向の軸廻りに揺動することにより、受入口１２８ａに流入した遊技球を中央縦案内部１２１側に案内する第１特定案内状態（特定案内状態）と、受入口１２８ａに流入した遊技球を後部横案内部１２３側に案内する第１通常案内状態（通常案内状態）とに変化可能となっている。
【０１１６】
また、第２ステージ振り分け手段１２７は、側部縦案内部１２２により案内されてきた遊技球を中間横案内部１２５側と前部横案内部１２４側とに振り分けるもので、例えば左右の側部縦案内部１２２，１２２に夫々対応して設けられており、第２振り分け部材１２９と、この第２振り分け部材１２９を駆動する第２駆動手段（図示省略）とを備えている。
【０１１７】
第２振り分け部材１２９は、側部縦案内部１２２，１２２の左右方向外側の側壁側に中間横案内部１２５に対応して配置されており、側部縦案内部１２２内に大きく突出することにより、側部縦案内部１２２を流下してきた遊技球を中間横案内部１２５側に案内する第２特定案内状態（特定案内状態）と、側部縦案内部１２２から退避することにより、側部縦案内部１２２を流下してきた遊技球を前部横案内部１２４側に案内する第２通常案内状態（通常案内状態）とに変化可能となっている。
【０１１８】
特定案内通路６１を流下してきた遊技球は、まず第１ステージ振り分け手段１２６により中央縦案内部１２１側と中間横案内部１２５側との何れかに案内される。中央縦案内部１２１側に案内された遊技球は、そのまま前側に案内されるため、中央落下部６５ａから落下して高い確率で第１特別図柄始動手段２２に入賞する。一方、後部横案内部１２３側に案内された遊技球は側部縦案内部１２２に流入して前向きに案内される。
【０１１９】
側部縦案内部１２２を流下してきた遊技球は、第２ステージ振り分け手段１２７により中間横案内部１２５側と前部横案内部１２４側との何れかに案内される。中間横案内部１２５側に案内された遊技球は中央縦案内部１２１に流入して前側に案内されるため、中央落下部６５ａから落下して高い確率で第１特別図柄始動手段２２に入賞する。一方、前部横案内部１２４側に案内された遊技球は、中央落下部６５ａと左右の側部落下部６５ｂ，６５ｂとの何れかから前側に落下するが、中央縦案内部１２１経由で流下する場合と比べて第１特別図柄始動手段２２に入賞する確率は低い。
【０１２０】
以上のように、案内した遊技球が第１特別図柄始動手段（第１領域始動手段）２２に入賞する可能性が低い通常案内状態と、案内した遊技球が第１特別図柄始動手段２２に入賞する可能性が通常案内状態の場合よりも高い特定案内状態とに変化可能なステージ振り分け手段１２６，１２７を設けてもよい。
【０１２１】
以上、本発明の実施形態について詳述したが、本発明はこれらの実施形態に限定されるものではなく、本発明の趣旨を逸脱しない範囲で種々の変更が可能である。例えば、第１〜第３の実施形態においても第４の実施形態と同様に分岐通路４２を省略してもよい。
【０１２２】
特定振り分け装置４０における各振り分け手段の連結態様は任意であって、第１〜第３の実施形態で示した交互連結、第４の実施形態で示した片側連結に限られるものではない。また、最下流側の振り分け手段における左右何れの排出口を特定流入口５３に連通させるかについても任意であって、例えば第１の実施形態の場合に第３振り分け手段４６ｃの第３左排出口４８ｃを特定流入口５３に連通させてもよい。
【０１２３】
特定振り分け装置４０には、特定流入口５３側への振分率（所定確率）をどのように設定するかに応じて、直列に連結する振り分け手段の数を決定すればよく、その数は１以上であればよい。
【０１２４】
また、特定振り分け装置４０を構成する振り分け手段は、遊技球を３つ以上の排出口に１個ずつ所定順序で案内するように構成してもよい。また、特定振り分け装置４０を構成する振り分け手段は、遊技球を複数の排出口に等確率で振り分け可能であればよい。また、特定振り分け装置４０は、第１領域３３ａ内の遊技球を所定確率で特定流入口５３に案内可能であればよい。
【０１２５】
始動口振り分け手段３８は、遊技球を所定の振分率で第１振分始動手段３６側と第２振分始動手段３７とに振り分けるものであればよい。また、その振分率は任意であり、第１振分始動手段３６側と第２振分始動手段３７側との一方側の振分率を高くしてもよい。
【０１２６】
特定振り分け装置４０に対する特定振り分けエラー判定処理と同様のエラー判定処理を、ステージ振り分け手段３９及び／又は始動口振り分け手段３８について行うように構成してもよい。即ち、例えば図１９〜図２１における特定振り分けエラー判定処理において、第１検出手段４５に代えて第２検出手段５４を、第２検出手段５４に代えて遊技球検出手段３６ａ，３７ａを夫々用いることにより、ステージ振り分け手段３９及び始動口振り分け手段３８による振り分けエラーを判定可能である。
【０１２７】
また、振り分け流入口３８ａに流入する遊技球を検出する振り分け流入口検出手段を新たに設け、図１９〜図２１における特定振り分けエラー判定処理において、第１検出手段４５に代えて振り分け流入口検出手段を、第２検出手段５４に代えて遊技球検出手段３６ａ，３７ａを夫々用いることにより、始動口振り分け手段３８による振り分けエラーを判定可能である。
【０１２８】
また、例えば始動口案内通路６３側とステージ案内通路６４側との何れかに案内通路検出手段を設け、例えば図１９〜図２１における特定振り分けエラー判定処理において、第１検出手段４５に代えて第２検出手段５４を、第２検出手段５４に代えて案内通路検出手段を夫々用いることにより、ステージ振り分け手段３９による振り分けエラーを判定可能である。
【０１２９】
実施形態の中立阻止手段５７，８６は、振り分け部材側の第１磁石と固定側の第２磁石とを、振り分け部材が右傾斜状態と左傾斜状態との中間の中立状態のときに互いのＮ極（又はＳ極）が対向するように配置し、磁石の反発力によって振り分け部材を右傾斜状態と左傾斜状態との何れかに付勢するように構成したが、これに限られるものではない。例えば、振り分け部材側の第１磁石のＮ極（又はＳ極）が、右傾斜状態のときには固定側の第２磁石のＳ極（又はＮ極）に、左傾斜状態のときには固定側の第３磁石のＳ極（又はＮ極）に夫々対向するように配置し、磁石の吸着力によって振り分け部材を右傾斜状態と左傾斜状態との何れかに付勢するように構成してもよい。
【０１３０】
ステージ振り分け手段は、実施形態に示した構成に限られるものではなく、特定流入口５３から第２領域３３ｂに流入した遊技球を、駆動手段の駆動により第１領域３３ａ側を含む複数方向に振り分け可能なものであればよい。
【０１３１】
また本発明は、パチンコ機に限らず、アレンジボール機、雀球遊技機等の各種遊技機において同様に実施することが可能である。
【符号の説明】
【０１３２】
７  遊技領域
１９  第１特別図柄表示手段（第１図柄表示手段）
２０  第２特別図柄表示手段（第２図柄表示手段）
３３ａ  第１領域
３３ｂ  第２領域
３５  ステージ
３６  第１振分始動手段（第１始動手段）
３７  第２振分始動手段（第２始動手段）
３８  始動口振り分け手段
３９  ステージ振り分け手段
４０  特定振り分け装置
４６ａ  第１振り分け手段
４６ｂ  第２振り分け手段
４６ｃ  第３振り分け手段
４８ａ  第１左排出口
４８ｂ  第２左排出口
４８ｃ  第３左排出口
４９ａ  第１右排出口
４９ｂ  第２右排出口
４９ｃ  第３右排出口
５３  特定流入口
６３  始動口案内通路
６６  可動通路部材（振り分け部材）
６７  モータ（駆動手段）
７４  中央排出通路（排出通路）
７６  側部排出通路（排出通路）
１０６  特別利益状態発生手段（利益状態発生手段）
【図１】
2016077741.tif 000003
【図２】
2016077741.tif 000004
【図３】
2016077741.tif 000005
【図４】
2016077741.tif 000006
【図５】
2016077741.tif 000007
【図６】
2016077741.tif 000008
【図７】
2016077741.tif 000009
【図８】
2016077741.tif 000010
【図９】
2016077741.tif 000011
【図１０】
2016077741.tif 000012
【図１１】
2016077741.tif 000013
【図１２】
2016077741.tif 000014
【図１３】
2016077741.tif 000015
【図１４】
2016077741.tif 000016
【図１５】
2016077741.tif 000017
【図１６】
2016077741.tif 000018
【図１７】
2016077741.tif 000019
【図１８】
2016077741.tif 000020
【図１９】
2016077741.tif 000021
【図２０】
2016077741.tif 000022
【図２１】
2016077741.tif 000023
【図２２】
2016077741.tif 000024
【図２３】
2016077741.tif 000025